(57)【要約】少なくとも１つの装置を制御する制御イベントを更新する方法は、制御イベントを分析して、変更のために利用可能な制御イベントに対応するパラメータ、及び制御イベントに対応する少なくとも１つのパラメータの変更に応じて影響される他の制御イベントのパラメータを決定するステップ、制御イベントの利用可能な情報の少なくとも１つのパラメータを変えるユーザ入力に応答して、制御イベントのパラメータを変更し、この変更により影響される他の制御イベントのパラメータを変更するステップを含む。
2011522453.tif 000002
【特許請求の範囲】
【請求項１】
少なくとも１つの装置を制御する制御イベントを更新する方法であって、
前記制御イベントを分析して、変更のために利用可能な制御イベントに対応するパラメータ、及び前記制御イベントに対応する少なくとも１つのパラメータの変更に応じて影響される他の制御イベントのパラメータを決定するステップと、
前記制御イベントの利用可能な情報の少なくとも１つのパラメータを変えるユーザ入力に応答して、前記制御イベントのパラメータを変更し、この変更により影響される他の制御イベントのパラメータを変更するステップと、
を含む方法。
【請求項２】
制作のための１以上の制御イベントとして動作するためにテンプレートを作成するステップを更に含む、
請求項１記載の方法。
【請求項３】
前記作成するステップは、
前記テンプレートのプロパティページにおけるデータフィールドを固定又は可変として割り当てるステップと、
前記データフィールドが固定されているとき、前記データフィールドのソース情報を前記テンプレートと記憶するステップと、
前記テンプレートの効果を視覚的に表現するビットマップを割り当てることで、前記テンプレートを保存するステップと、
を更に含む請求項２記載の方法。
【請求項４】
前記作成するステップは、
前記テンプレートのプロパティページにおけるデータフィールドを固定又は可変として割り当てるステップと、
制作システムへのデータ入力のため、前記データフィールドの識別子を提供するステップと、
前記データフィールドのソースを割り当てるステップと、
前記テンプレートにおける１以上のデータフィールドをリンクさせるステップと、
あるキー変数を１つの変数又は変数のグループに割り当てるステップと、
前記テンプレートの外部にあるデータについて変数が必要とされるかを判定するステップと、
を更に含む請求項２記載の方法。
【請求項５】
リンクされるプロパティページフィールドと変数を有するテンプレートを表示するステップと、
前記テンプレートについて変数からなるポップアップリストを表示するステップと、
前記テンプレートの効果を視覚的に表現するビットマップを割り当てることで、前記テンプレートを保存するステップと、
を更に含む請求項４記載の方法。
【請求項６】
前記リンクするステップは、コントロールルームのデータと制作システムを前記テンプレートとリンクするステップを含む、
請求項５記載の方法。
【請求項７】
１つの変数の入力の下で多数のプロパティの割り当てをグループ化するステップを更に含む、
請求項５記載の方法。
【請求項８】
前記リンクするステップは、メディア識別データと制作イベントデータを自動的にリンクするステップを更に含む、
請求項６記載の方法。
【発明の詳細な説明】
【技術分野】
【０００１】
本発明は、テレビ制作に関する。より詳細には、本発明は、たとえばニュースオートメーションといった自動化されたテレビ制作に関する。
【０００２】
本出願は、2008年4月11日に出願された米国特許仮出願61/123914について35USC119(e)に基づいて優先権を請求するものである。
【背景技術】
【０００３】
テレビ制作、より詳細にはニュースオートメーションでは、ＴＶニュース番組を形成するために必要とされる固有のイベントを形成するために必要とされるビデオ、オーディオ、デジタルビデオ効果発生器及び他の装置の組み合わせの数は、容易に数千に達する。装置の組み合わせにより形成されるイベントを管理することは、面倒であって時間がかかる。したがって、特定のイベントを変更するオペーレータの判断は、典型的に、容易に数千に達するそのイベントの全ての個々のバリエーションの変更を必要とする。したがって、数百のバリエーションにおいて多くのエラーが生じる可能性があることが明らかである。
【０００４】
この問題を解決する試みは、１つのアクションを扱う小さな個々のイベント、すなわちオーディオフェードの制御、ビデオスイッチング等のようにイベントを分割することで行われている。理論は、これら個々のイベントの１つを変更することは、異なるアクションから構成されるより複雑なイベントを変更するよりも容易であるということである。このアプローチに対する問題点は、これらの個々のイベントを採取し、使用されるのが必要なたびに編集しなければならない点である。これは、問題に対する実行可能なソリューションであると考えることができないポイントにまで、ニュース番組を構築するために必要とされる時間を大幅に増加する。
【０００５】
提案される他のアプローチは、パラメータに基づいて、その特定のイベントについて全ての組み合わせを自動的に生成する“Builder  Utilities”を含む。このアプローチを使用することは、決して使用されないか又は論理的に意味をなさない組み合わせを生成する。このアプローチは、そのイベントから生じる様々な組み合わせの基礎としての役割を果たすベースイベントに変化が生じるときは何時でも、ユーザはこのユーティリティを実行し直す必要がある。全体的に、このアプローチは、扱いにくく且つ無駄が多い。
【発明の概要】
【課題を解決するための手段】
【０００６】
本発明の実現によれば、少なくとも１つの装置を制御してオーディオビジュアルコンテンツを制作するために、制御イベントをアップデートする方法は、（１）変更のために利用可能な制御イベントに対応するパラメータ、及び（２）制御イベントに対応する少なくとも１つのパラメータの変更に応じて影響される他の制御イベントのパラメータを決定するために制御イベントを分析するステップ、制御イベントの利用可能な情報の少なくとも１つのパラメータを変えるユーザ入力に応答して、制御イベントを変更し、この変更により影響される他の制御イベントのパラメータを変更するステップとを含む。
【０００７】
本方法は、制作のために１以上の制御イベントとして動作するため、テンプレートの作成を含む。テンプレートの作成は、固定又は可変としてテンプレートのプロパティページ内のデータフィールドを割り当てるステップ、データフィールドが固定であるときにテンプレートとデータフィールドのソース情報を記憶し、テンプレートの効果を視覚的に表現するビットマップを割り当てることでテンプレートを保存するステップとを含む。
【０００８】
テンプレートの作成は、固定又は可変としてテンプレートのプロパティページにおけるデータフィールドを割り当てるステップ、制作システムへのデータエントリのため、データフィールドの識別子（ＩＤ）を提供するステップ、データフィールドのソースを割り当てるステップ、テンプレートにおける１以上のフィールドをリンクさせるステップを含む。１つの実現によれば、多数のプロパティの割り当ては、１つの可変のエントリの下でグループ化される。キー変数は、１つの変数又は変数のグループに割り当てることができる。次いで、テンプレートの外部のデータについて変数が必要とされるかに関する判定が行われる。リンクされているプロパティページフィールド及び変数を有するテンプレートが表示される。そのテンプレートのポップアップ変数のリストが表示される。テンプレートは、テンプレートの効果を視覚的に表現するビットマップを割り当てることで保存される。リンクは、コントロールルームのデータ（たとえば、ニュース・ルーム・コンピュータ・システム（ＮＲＣＳ）データ）及び制作システムのデータをテンプレートとリンクさせることを含む。
【０００９】
別の実現によれば、リンクは、メディアＩＤ及び制作イベントデータ（すなわち、このデータはＮＲＣＳにおける個別のデータである）を自動的にリンクさせるステップを更に含む。
【００１０】
本発明の他の態様及び特徴は、添付図面と共に考慮される以下の詳細な説明から明らかとなるであろう。しかし、添付図面は、例示するものであって、本発明の制限を定義するものであって、参照は特許請求の範囲に対して行われるべきであることを理解されたい。添付図面は、必ずしもスケーリングされて描かれておらず、特に断りが無い限り、本明細書で記載される構造及び手順を概念的に例示することが意図されることを理解されたい。
【図面の簡単な説明】
【００１１】
添付図面では、同じ参照符号は図面を通して同じ構成要素を示している。
【図１】本発明の実現に係る、トランジションマクロイベント（ＴＭＥ）テンプレートを作成することで制御イベントをアップデートする方法のステップを説明するフローダイアグラムである。
【図２】本発明の実現に係る、図１のテンプレートを使用したプロセスのステップを説明するフローチャートダイアグラムである。
【図３】本発明の実現に係る、例示的なカメラテンプレートを例示する図である。
【図４】本発明の実現に係る、テンプレートマネージャの例示的なグラフィカルユーザインタフェースである。
【図５】本発明の実現に係る、図４に示されるテンプレートマネージャのテンプレートテーブルエリアの一部の拡大された図である。
【図６】本発明の実現に係る、テンプレートマネージャのグラフィカルユーザインタフェースの代替的な例示的な図である。
【図７】本発明の実現に係る、制作システムのランダウンマークアップインタフェースを例示する図である。
【図８】本発明の実現に係る、ＴＭＥ  Ｈｅｌｐｅｒインタフェースの例を示す図である。
【図９】本発明の実現に係る、トランジションｍイベントテンプレートを作成する方法のステップを例示するフローチャートである。
【発明を実施するための形態】
【００１２】
以下に詳細に記載されるように、本発明は、自動化されたテレビ制作の間に制御イベントをアップデートする技術を提供するものであり、特にThomson  Grass  Valley,  Inc.,  Jacksonville,  Floridaにより製造されるＩＧＮＩＴＥ（登録商標）自動化されたテレビ制作システムで使用されるトランジションマクロイベント（ＴＭＥ）を利用するシステムといった、自動化されたテレビ制作システムと共に大きな価値を有する。当業者であれば、ＩＧＮＩＴＥ（登録商標）システムはニュース自動化環境で使用される自動化されたテレビ制作システムのほんの一例であり、本発明の原理は、この開示の範囲から逸脱することなしに他の制作システムに容易に適用されることを認識されるであろう。
【００１３】
本発明は、１つのパラメータの変更によって変更されたパラメータにリンクされる他のパラメータを自動的に更新するように、自動化されたテレビ制作の間のパラメータの更新を可能にするため、たとえばＩＧＮＩＴＥ（登録商標）システムのような制作システムに（以下ではＩＱレイヤと呼ばれる）別のレイヤを提供する。用語“ＩＱ”は、使用中に手動又は自動で変化される可変データを拡張するプロダクションイベント（ＩＱＴ）から、固定データをもつ標準的なＴＭＥを区別する役割を果たす。このＩＱレイヤは、制作システム（たとえばニュースルーム）の機器及びタレントにおける将来の変更に適応するための柔軟性を提供する新たなタイプのＴＭＥ（「ＩＱテンプレート」と呼ぶ）の制作を可能にする。
【００１４】
トランジションマクロイベント（ＴＭＥ）は、イベントの実行に応じて、所望のテレビ制作イベントを生成するために自動化された制作システムにより様々な装置にコマンドが送出されるように、あるタイムラインで配置されるデバイスイベントの論理的なグルーピングを構成する。それぞれのデバイスイベントは、所望のイベントに関連する１以上の処理を実行する機器の振る舞いを決定する特性を有する。自動化された制作システムの更に詳細な説明のため、ＴＭＥが様々な装置を制御する方法は、本明細書に引用により盛り込まれる米国特許第7302644号に記載される。
【００１５】
図１は、本発明の実現に係るテンプレートを作成するプロセス１０を示す。本明細書で引用されるＩＱテンプレートは、制作の間に使用される１以上の制御イベントであると考えられる。一般的に言えば、テンプレートを作成するため、ユーザは、特定のイベントについて１つのＴＭＥを作成する（１２）。ユーザは、そのＴＭＥをそれぞれの制作システムのテンプレートクリエータアプリケーションにインポートし（１４）、このアプリケーションは、オリジナルのＴＭＥを分析して、全ての変数をパラメータテーブルへの挿入ために利用可能にする。次いで、ユーザは、ユーザ変数を作成して、その変数により制御されるパラメータを選択することでパラメータテーブルを作成する（１６）。次いで、ユーザは、パラメータテーブルに書き込み（１８）、テンプレートに名を付ける。書き込みステージ（１８）の間、ユーザは、更なるテーブルを作成することもできる。
【００１６】
図２は、図１で作成されたテンプレートのプロセス２０を示す。（たとえばニュースルームコンピュータシステムといった）テレビ制作システムから、プロデューサ又はディレクタは、テンプレート及びパラメータをダイレクトに入力し（２２ａ）、それらを本発明のＩＱレイヤに送出する。代替的に、ディレクタは、「ランダウンマークアップ“Rundown  Markup”」と呼ばれる個別のアプリケーションを使用して、テンプレート及びパラメータを、制作システムからのストーリラインに関連付け、それらを本発明のＩＱレイヤに送出する。ひとたび送出されると、ＩＱレイヤは、テンプレート及びパラメータ値を読取り（２４）、次いでタイムラインに対して後にポピュレートされるＴＭＥを作成する。
【００１７】
図３は、本発明の実現に係る、ＩＱテンプレート名である“ＣＡＭ”と、このテンプレートを有する全てのコンポーネントとの間の関連を示すカメラテンプレート３０の例を示す。例示を通して、ニュースルーム・コンピュータシステム又はランダウンマークアップ・ダイアログボックスの何れかにおいてＴＭＥについて入力されるコンポーネントのシーケンスは、以下の通りである。  
IQ  Template  Name.ParameterNameParameterNameValue.
ParameterNameParameterNameValue.ParameterNameParameterNameValue…  
ここである期間は、ＩＱテンプレート名をそれぞれのパラメータ名とパラメータ値のグループに分離する。
【００１８】
それぞれのＴＭＥは、複数のパラメータ値及びパラメータ名のグループを有し、それぞれのグループは、任意の順序で入力される。図３に示される例示的なＴＭＥの下で、“CAM.C1.ECut.M1.P1.”は、ＣＡＭテンプレートは、ランダウンにインポートされたときに、以下のタスクを実行するこの特定のＴＭＥを含むことを意味する。  
カメラ１又はＣ１（Ｃ１）を使用；Ｃｕｔ（Ｃｕｔ）である効果を含む。  
マイクロフォン１（Ｍ１）を使用；及び
プリセット１（Ｐ１）を使用。
【００１９】
図４は、本発明の実現に係る、テンプレートマネージャ４０の例を示す。テンプレートマネージャ４０は、本発明に係るＴＭＥ及びＩＱテンプレート情報を管理するために使用されるインタフェースを構成する。上部から下部へ、テンプレートマネージャ４０は、テンプレートに関する説明情報を含むテンプレートサマリ（Template  Summary）エリア４２、ＴＭＥで使用される装置のリスト、及びＴＭＥにおけるそれぞれの装置と関連される装置データのリストを含む。テンプレートサマリエリア４２で、ユーザがサムネイルグラフィック及び記述をテンプレートに割り当てるのを可能にするエリアであるサムネイル及び記述フィールド４４が存在する。このＴＭＥエリア４６内のアイコンは、ＴＭＥにおけるそれぞれの装置アイテムに関して表示される情報（たとえばパラメータ）を含む。ＴＭＥデバイスデータ（TME  Device  Data）エリア４８は、このＴＭＥエリア４６におけるアイコンで行われる選択に関する情報を提供する。したがって、ＴＭＥエレメントがこのＴＭＥにおけるアイコン（Icons  in  this  TME）４６の下で選択されたとき、そのＴＭＥの対応するデバイスデータは、ＴＭＥデバイスデータエリア４８の下に現れる。テンプレート４０の下部は、テンプレートテーブルエリア５０を有する。
【００２０】
図５は、本発明の例示的な実現に係る、テンプレートテーブルエリア５０の接近した図である。テンプレートテーブルエリア５０により、ユーザがパラメータテーブルを作成、編集及び維持するのを可能にする。図示されるように、テンプレートテーブルエリア５０は、たとえばパラメータ名、パラメータ名の値、ＴＭＥデバイスデータアイテム、ＴＭＥデバイスデータ値、パラメータ名のリスト、追加／削除パラメータ名、追加／削除のパラメータ名の値のような「パラメータ」に関連するフィールドを含む。
【００２１】
図６は、Thomson  Grass  ValleyからのKayak（登録商標）ビデオスイッチのようなビデオスイッチャのプレビューソース値がＴＭＥデバイスデータエリア４８に列６２としてどのように追加されるかを示すテンプレートマネージャ４０の別の例を示す。ここで、ユーザは、テンプレートに入力されるパラメータに基づいてビデオソースを変えることができる。ビデオスイッチャの特性は、ビデオスイッチャの制御のための、ＴＭＥにおけるスイッチャ制御オブジェクトの“ＩＱＴテンプレートマネージャ／ＴＭＥデバイスデータ”において変えることができる特性のリストを示す。以下は、変えることができる特性の例示的なリストを含む。
【００２２】
１．Ｍ／Ｅ（どのＭｉｘ  Ｅｆｆｅｃｔ  Ｂａｎｋがビデオスイッチャで制御されているかを割り当てる）
２．Ｅｆｆｅｃｔ（ビデオスイッチャに送出される効果データを決定するＩｇｎｉｔｅ  Ｅｆｆｅｃｔを割り当てる）
３．ＰＧＭ（ビデオスイッチャのプログラムバスについてビデオソースを割り当てる。）
４．ＰＶＷ（ビデオスイッチャのプレビューバスについてビデオソースを割り当てる。）
５．Ｕｔｉｌ１（ビデオスイッチャのＵｔｉｌｉｔｙ１  Ｂｕｓについてビデオソースを割り当てる。）
６．Ｕｔｉｌ２（ビデオスイッチャのＵｔｉｌｉｔｙ２  Ｂｕｓについてビデオソースを割り当てる。）
７．Ｋｅｙ１Ｆｉｌｌ（ビデオスイッチャのＫｅｙ１  Ｆｉｌｌ  Ｂｕｓについてビデオソースを割り当てる。）
８．Ｋｅｙ２Ｆｉｌｌ（ビデオスイッチャのＫｅｙ２  Ｆｉｌｌ  Ｂｕｓについてビデオソースを割り当てる。）
９．Ｋｅｙ３Ｆｉｌｌ（ビデオスイッチャのＫｅｙ３  Ｆｉｌｌ  Ｂｕｓについてビデオソースを割り当てる。）
１０．Ｋｅｙ４Ｆｉｌｌ（ビデオスイッチャのＫｅｙ４  Ｆｉｌｌ  Ｂｕｓについてビデオソースを割り当てる。）
１１．Ｋｅｙ１Ｋｅｙ（ビデオスイッチャのＫｅｙ１  Ｋｅｙ  Ｂｕｓについてビデオソースを割り当てる。）
１２．Ｋｅｙ２Ｋｅｙ（ビデオスイッチャのＫｅｙ２  Ｋｅｙ  Ｂｕｓについてビデオソースを割り当てる。）
１３．Ｋｅｙ３Ｋｅｙ（ビデオスイッチャのＫｅｙ３  Ｋｅｙ  Ｂｕｓについてビデオソースを割り当てる。）
１４．Ｋｅｙ４Ｋｅｙ（ビデオスイッチャのＫｅｙ４  Ｋｅｙ  Ｂｕｓについてビデオソースを割り当てる。）
中央上部のウィンドウは、ＴＭＥ／ＩＱＴに含まれる装置タイプを示す“Icons  in  this  TME”４６を示す。ユーザがリストにおける「アイコン」又は装置のうちの１つを（たとえば左マウスクリックにより）選択したとき、「ＴＭＥデバイスデータ」のウィンドウは、選択された装置の編集可能な特性でポピュレートされる。ユーザは、選択された装置の特性の何れかを、選択された変数に関連される「テンプレートパラメータ化テーブル」５２にドラッグ及びドロップする。矢印は、ビデオスイッチャのＰＶＷ（すなわちプレビュー）バス特性が、特性をテンプレートテーブルにドラッグすることで、テンプレートテーブルの変数“Ｃ”に追加されることを示す。
【００２３】
図７は、本発明の実現に係るＩＱランダウンマークアップ７０インタフェースの例を示す。ＩＱランダウンマークアップインタフェースは、ある番組における概略情報をマークアップする改善された方法を提供する。ＩＱランダウンマークアップアプリケーションは、ＮＲＣＳデータ及びＩＱデータの両者とリンクされているので、ＮＲＣＳからの制作コマンドでイベントタイムラインをポピュレートするために、ＴＭＥ／ＩＱＴデータが自動化されたテレビ制作システムに入力される方法を改善する。ＩＱランダウンマークアップがなければ、ユーザは、ＮＲＣＳ内の指定されたＴＭＥ列におけるＴＭＥ／ＩＱＴ名のテキストデータを入力するが、ＩＱＴの正しい名前及び設定可能なパラメータについてメモリに頼る必要がある。ＩＱランダウンマークアップは、ＮＲＣＳからの任意の列データを表示するために構成される（たとえば、ストーリ実行順序、ページ番号、ページスラグ、セグメント、アンカー、クリップ、テープ、ＳＳ）。ＩＱランダウンマークアップは、ＮＲＣＳで行われる変化を自動的に更新し、そのストーリ／ページが変更されたかを表示する。ユーザは、テンプレートパラメータの値を変えるためにドロップダウンリストへのアクセスを有し、メモリに依存する必要がない。
【００２４】
ＩＱランダウンマークアップダイアログボックスは、ＮＲＣＳからダイレクトに概略情報を取得して、この情報をダイアログボックスに表示するインタフェースである。このアプリケーションが使用されたとき、ＮＲＣＳを通してダイレクトにデータを入力するのに対して、ユーザは、ＴＭＥ詳細スクリーン７２にアクセスし、このスクリーンは、ユーザがテンプレートを通してサーチして、パラメータ及び値を見るのを可能にする。
【００２５】
図８は、例示的な実現に係るＩＱ  ＴＭＥ  Ｈｅｌｐｅｒ８０の例を示す。ＩＱ  ＴＭＥ  Ｈｅｌｐｅｒ８０は、ＩＱマークアップアプリケーションのラインに割り当てるためにＴＭＥ／ＩＱＴを発見及び選択する。ＩＱ  ＴＭＥ  Ｈｅｌｐｅｒの上部は、以下から構成される標準的なMicrosoft  Windows（登録商標）  Explorerのウィンドウである。
【００２６】
Ｌｏｏｋ  Ｉｎ（見るためにディレクトリを選択）
ファイルリスト（ＴＭＥ／ＩＱＴファイルのリスト）
ファイル名（選択されたファイル名）
ファイルのタイプ（ＴＭＥ／ＩＱＴファイルのファイルリストをフィルタリング）
ＯＫ（ＩＱマークアップアプリケーションにＴＭＥ／ＩＱＴを割り当てる）
ＩＱ  ＴＭＥ  Ｈｅｌｐｅｒの下部は、プレビューエリア８２、ＴＭＥのベース名に加えて、パラメータ及びそれぞれのパラメータのデフォルト値を示すＴＭＥエリア８４から構成される。プレビューエリア８２内で、他の表示されるフィールドは、パラメータ名又はキーのリストが提供されるキーフィールド８６、それぞれのパラメータの値のリストを提供する値フィールド８７（コンピュータマウス等を介してパラメータの値をクリックすることに応じて、ドロップダウンリストは、選択されたパラメータの値のリストで開かれる）、及び選択された値に関連するフィールド及び値を示す関係フィールド８８を含む。
【００２７】
図９は、（たとえばニュースルームといった）制作システムの機器及びタレントにおける将来の変更に適合するための柔軟性を与える、上述された新たなタイプのＴＭＥ（すなわち本発明のＩＱテンプレート）を作成するために方法９０の例示的な実現のフローチャートを示す。はじめに、ＴＭＥのプロパティパージ内のそれぞれのデータフィールドは、固定又は可変として割り当てられる。デフォルトにより、プロパティパージ内のフィールドが変数として割り当てられていない場合、ＴＭＥ内で固定される。当業者であれば、「固定」はＴＭＥを編集することができないことを意味するのではなく、変数フィールドなしで、ＴＭＥと記憶されるソースがＴＭＥと記憶されることを意味することを理解されるであろう。
【００２８】
フィールドが可変として割り当てたれたとき、フィールドには、ＮＲＣＳの列に基づいたシステムにおけるデータエントリのための識別子（ＩＤ）が与えられる（９８）。ここで、ユーザは、ＴＭＥベースＩＤと、フィールドＩＤとをフィールド値と共に入力する。たとえば、ユーザが（フィールドのリンクを有さない）ＶＯ  ＴＭＥを作成し、（たとえば、“ＶＰ”−ビデオプレビューバス＆“Ｆｕｌｌ”−オーディオプリセットイベント＆“Ｕｎｄｅｒ”−オーディオプリセットイベント＆“ＭＣ”−マシンコントロール）４つの変数フィールドを有する場合、ユーザは、このステップ９８で、“VO-VPVR2-FullMic1-UnderVR2-MCVR2”をＮＲＣＳ  ＴＭＥの列に入力する。
【００２９】
“ＶＯ”ＴＭＥは、あるクリップをロールし、ビデオを電波に移行し、オーディオソースを（通常、アンカーマイクロフォンに）発生させ、これにより、アンカーはビデオを読み返すことができるように設計されるＴＭＥである。当業者であれば、“ＶＯ”はボイスオーバの略記であり、ライブソースがビデオクリップを読み返すことを意味し、“ＮＡＴ”は、自然音を意味し、ライブソースが自然音を有するクリップを読み返すことを意味することを認識されるであろう。
【００３０】
同じＴＭＥにおいて、（割り当てられたソースによるか又は割り当てられたソースによらないで）幾つかのフィールドは固定され、幾つかのフィールドは可変であるとして割り当てられ、したがって、デフォルトソースが必要とされる。フィールドが可変であるとして割り当てられたとき、ユーザは、フィールドについてソースを割り当てる必要がある（１００）。そのように、ＴＭＥが可変フィールドで作成された場合、ＴＭＥは、任意のフィールドデータが追加されることなしにベースとして呼び出すことができる。たとえば、ユーザが先のＶＯ  ＴＭＥ、及び必要に応じて４つの可変フィールドについて割り当てられたソースを作成した場合（たとえば、“ＶＰ”−ＶＲ１＆“Ｆｕｌｌ”−Ｍｉｃ１＆“Ｕｎｄｅｒ”−ＶＲ１＆“ＭＣ”−ＶＲ１）、ＴＭＥが呼び出されたとき、ＴＭＥはそれぞれの変数についてデフォルトのソースを有する。
【００３１】
上述した内容に加えて、データフィールドが可変であるととして割り当てられたとき、本発明は、ＴＭＥにおける様々なフィールドとリンクさせる手段をユーザに提供する（１０２）。たとえば、先のＶＯ  ＴＭＥのシナリオでは、リンクされる必要があるフィールドを有する３つの異なるプロパティページが存在する。ビデオプロパティページ（プレビューバス−フィールド）は、オーディオプロパティページ（たとえば、ＶＲ（バーチャルレコーダ）“Ｆｕｌｌ”オーディオプリセットイベント）、ＶＲマシンコントロール（ロード）、及びＶＲマシンコントロール（プレイ）にリンクされる。ユーザは、ビデオ（プレビューバス−フィールド）を可変として割り当て、オーディオイベント、マシンコントロールフィールドにリンクすることができる。ＮＲＣＳ  ＴＭＥ列において、ユーザは、“ＶＯ−ＶＰＶＲ２”を入力する。ＴＭＥが自動化されたテレビ制作システムによりインポートされたとき、リンクされたフィールドは、ＶＲ２選択と対応するために更新される。
【００３２】
ひとたびリンクされると（１０２）、１つの変数又は変数のグループ（“Variable  Group”）は、キー変数として割り当てられる必要がある（１０４）。キー変数を割り当てることで、このフィールドにリンクされる他の変数は、キー変数のソースが変化したとき、ソースマッピングの割り当てに基づいて変化する。可変のフィールドは、同じプロパティページ及び／又は他のプロパティページのフィールドにおいてリンクされる。可変のフィールドは、互いにグループ化され、グループは、他のプロパティページのフィールドにリンクされる。たとえば、カメラのＴＭＥについて、カメラフィールドは、プリセットフィールドで「グループ化」される。グループ化されたフィールドは、ビデオプレビューバスフィールドにリンクされ、たとえば“Ｆｕｌｌ−ＭＩＣ”といったオーディオイベントは、ＴＭＥ／ＩＱＴから呼び出されたオーディオアクションを作成する能力を有する。これらのアクションのネーミングは、ユーザにより定義され、したがって名前は任意である。この場合、名前“Ｆｕｌｌ  ＭＩＣ”は、マイクロフォンのソースをフルポジションにするアクションを記述する。“Ｆｕｌｌ  ＭＩＣ”は、ユーザがこのオーディオアクションを呼び出す例である。カメラ＆プリセットの選択の組み合わせは、独立のソースマッピングを呼び出す。
【００３３】
ＴＭＥは、他のフィールドにリンクされる１以上の変数を含み、フィールドのリンクは、それぞれの変数にとって固有である。たとえば、あるオーディオソース、第二のビデオ（Key1  Fill  Bus-Field）のオーディオ“Ｆｕｌｌ”プリセットイベントにリンクされるビデオ（プレビューバス−フィールド）変数は、オーディオ“Ｆｕｌｌ”プリセットイベントにリンクされるが、第一のリンクされる変数と同じオーディオイベントにリンクされない。その際、変数は、ＴＭＥフィールド外にあるデータについて作成される必要がある。これは、ステップ（１０６）で決定される。たとえば、概略（ショットタイプ、アンカー）からデータを抽出して、このデータをＴＭＥフィールドデータにリンクさせることが望まれる。ショットタイプ、アンカーの割り当ては、カメラ、プリセット、ビデオ入力又はオーディオイベントにマッピングされる。キー変数のリンク及び割り当ての間、及びキー変数のリンク及び割り当ての後、リンクされるプロパティページフィールドは、視覚的に表示される（１１０）。当業者により理解されるように、ソースは、他のリンクされるソースに割り当てられる必要がある。たとえば、ビデオソースＶＲ１は、オーディオソースＶＲ１及びマシンコントロールデバイスＶＲ１にリンクされる必要がある。ある変数が他のフィールドにリンクされる場合、そのフィールドにとって適用できるソース及び対応するリンクされるフィールドについてソースにマップされるソースのみが選択可能である。変数が他のフィールドにリンクされる場合であって、ソースマッピングが割り当てられない場合、可変のフィールドにとって適用できるソースが表示されるが、選択可能ではない。アイテムは、欠けているデータを視覚的に示す必要がある。
【００３４】
同じＴＭＥにおいて、他のフィールドにリンクされる変数及び独立な変数を有する場合がある。たとえば、ユーザが先のＶＯ  ＴＭＥを作成した場合、ビデオプロパティページ（プレビューバス−フィールド）は、オーディオプロパティページ（ＶＲ）（バーチャルレコーダ）“Ｆｕｌｌ”オーディオプリセットイベント、ＶＲマシンコントロール（ロード）、及びＶＲマシンコントロール（プレイ）にリンクされる。第二の変数は、オーディオ“Ｆｕｌｌ”イベントについて作成される。ユーザは、ＮＲＣＳ  ＴＭＥの列にVO-VPVR2-FullMic2を入力する。このステージで、変数を有するＴＭＥは、視覚的に表示される（１１２）。ＩＧＮＩＴＥ（登録商標）自動化されたテレビ制作システムで発見されるタイムライン＆ランダウンリスト及びアクティブＸについて、そのＴＭＥの変数のポップアップリストが表示される（１１４）。ひとたび終了すると、テンプレートが保存される（１１６）。保存されたとき、テンプレートには、テンプレートの効果を視覚的に表現するビットマップ（サムネイル）が割り当てられる。
【００３５】
本発明は、ハードウェア、ソフトウェア、ファームウェア、特定用途向けプロセッサ又はその組み合わせの様々な形態で実現することができることを理解されたい。好ましくは、本発明は、ハードウェアとソフトウェアの組み合わせとして実現することができる。さらに、ソフトウェアは、好ましくは、プログラム記録媒体で実施されるアプリケーションプログラムとして実現される。アプリケーションプログラムは、適切なアーキテクチャを有するマシンにアップロードされ、該マシンにより実行される。好ましくは、マシンは、１以上の中央処理装置（ＣＰＵ）、ランダムアクセスメモリ（ＲＡＭ）及び入力／出力（Ｉ／Ｏ）インタフェースのようなハードウェアを有するコンピュータプラットフォームで実現される。また、コンピュータプラットフォームは、オペレーティングシステム及びマイクロ命令コードを含む。本明細書で記載される様々なプロセス及び機能は、オペレーティングシステムを介して実行されるマイクロ命令コードの一部又はアプリケーションプログラムの一部（或いはその組み合わせ）である。さらに、様々な他の周辺装置は、更なるデータ記憶装置及びプリンティング装置のようなコンピュータプラットフォームに接続される。
【００３６】
さらに、添付図面で示されるシステム構成要素及び方法ステップの幾つかは好ましくはソフトウェアで実現されるため、システム構成要素（又はプロセスステップ）間の実際の接続は、本発明がプログラムされる方法に依存して異なる可能性があることを理解されたい。本明細書における教示が与えられると、当業者は、本発明のこれら及び類似の実現又はコンフィギュレーションを創作することができる。
【００３７】
本発明の基本的な新たな特徴が図示、記載及び指摘されたが、記載された方法及び例示された装置の形式及び詳細において、並びにそれらの動作において、様々な省略、置換及び変形が本発明の範囲から逸脱されることなしに当業者により行われることを理解されたい。たとえば、同じ結果を達成するために実質的に同じ方法で、実質的に同じ機能を実行するエレメント及び／又は方法ステップの全ての組み合わせは、本発明の範囲に含まれることが明示的に意図される。さらに、本発明の開示された形式又は実現と共に図示及び／又は記載される構造及び／又はエレメント及び／又は方法ステップは、設計上の一般的な問題として、他の開示、記載又は示唆される形式又は実現に盛り込まれることを認識すべきである。したがって、特許請求の範囲により示されるように限定されることが意図される。
【図１】
2011522453.tif 000003
【図２】
2011522453.tif 000004
【図３】
2011522453.tif 000005
【図４】
2011522453.tif 000006
【図５】
2011522453.tif 000007
【図６】
2011522453.tif 000008
【図７】
2011522453.tif 000009
【図８】
2011522453.tif 000010
【図９】
2011522453.tif 000011
【国際調査報告】
2011522453.tif 000012
2011522453.tif 000013
2011522453.tif 000014